【手続補正書】
【提出日】平成22年1月26日(2010.1.26)
【手続補正１】
【補正対象書類名】特許請求の範囲
【補正対象項目名】全文
【補正方法】変更
【補正の内容】
【特許請求の範囲】
【請求項１】
第１ゲート配線が形成された第１表示領域及び該第１表示領域を囲む第１周辺領域で構成された第１表示パネルと、
前記第１周辺領域に形成され、第１クロック信号及び第２クロック信号に応答して第１ゲート信号を前記第１ゲート配線に出力する第１ゲート駆動部と、
前記第１表示パネルと電気的に連結され、第２ゲート配線が形成された第２表示領域及び該第２表示領域を囲む第２周辺領域で構成された第２表示パネルと、
前記第２周辺領域に形成され、前記第１クロック信号及び第２クロック信号に応答して第２ゲート信号を前記第２ゲート配線に出力する第２ゲート駆動部と、を備えることを特徴とする表示装置。
【請求項２】
前記第１周辺領域は、前記第１及び第２クロック信号を伝達する第１信号配線部を含み、
前記第２周辺領域は、前記第１信号配線部と電気的に連結された第２信号配線部を含むことを特徴とする請求項１記載の表示装置。
【請求項３】
前記第１表示パネルと第２表示パネルとを電気的に連結する可撓性回路基板を更に含み、
前記可撓性回路基板には、前記第１及び第２信号配線部を連結する連結配線部が形成されることを特徴とする請求項２記載の表示装置。
【請求項４】
前記第１クロック信号及び第２クロック信号を出力する駆動部を更に含むことを特徴とする請求項１記載の表示装置。
【請求項５】
前記駆動部は、前記第１ゲート駆動部に第１垂直開始信号を出力し、所定時間の後、前記第２ゲート駆動部に第２垂直開始信号を出力することを特徴とする請求項４記載の表示装置。
【請求項６】
前記第１及び第２ゲート駆動部のそれぞれは、相互に縦続的に連結された複数のステージで構成され、
前記第１及び第２垂直開始信号は、前記第１及び第２ゲート駆動部のそれぞれの一番目のステージに入力されることを特徴とする請求項５記載の表示装置。
【請求項７】
前記駆動部は、前記第１ゲート駆動部に第１垂直開始信号を出力し、第１所定時間の後、前記第１及び第２ゲート駆動部に第２垂直開始信号を出力し、第２所定時間の後、前記第２ゲート駆動部に第３垂直開始信号を出力することを特徴とする請求項４記載の表示装置。
【請求項８】
前記第１及び第２ゲート駆動部のそれぞれは、相互に縦続的に連結された複数のステージで構成され、
前記第１垂直開始信号は、前記第１ゲート駆動部の一番目のステージに入力され、前記第２垂直開始信号は、前記第１ゲート駆動部の最後のステージ及び前記第２ゲート駆動部の一番目のステージに入力され、前記第３垂直開始信号は、前記第２ゲート駆動部の最後のステージに入力されることを特徴とする請求項７記載の表示装置。
【請求項９】
前記駆動部は、前記第２垂直開始信号のパルス幅に対応して前記第１及び第２クロック信号を遅延して出力することを特徴とする請求項７記載の表示装置。
【請求項１０】
前記第２垂直開始信号のパルス幅は、ミドルポーチ区間に対応することを特徴とする請求項９記載の表示装置。
【請求項１１】
前記駆動部は、バックポーチ区間に前記第１垂直開始信号を出力し、フロントポーチ区間に前記第３垂直開始信号を出力することを特徴とする請求項７記載の表示装置。
【手続補正２】
【補正対象書類名】明細書
【補正対象項目名】発明の名称
【補正方法】変更
【補正の内容】
【発明の名称】表示装置
【手続補正３】
【補正対象書類名】明細書
【補正対象項目名】０００１
【補正方法】変更
【補正の内容】
【０００１】
本発明は、表示装置に関し、より詳細には、第１表示パネルと第２表示パネルの駆動信号を共有するための表示装置に関する。
【手続補正４】
【補正対象書類名】明細書
【補正対象項目名】０００５
【補正方法】変更
【補正の内容】
【０００５】
そこで、本発明は、上記従来の液晶表示パネルの問題点に鑑みてなされたものであって、本発明の目的は、第１表示パネル（メイン液晶表示パネル）と第２表示パネル（サブ液晶表示パネル）の駆動信号を共有するための表示装置を提供することにある。
【手続補正５】
【補正対象書類名】明細書
【補正対象項目名】０００７
【補正方法】変更
【補正の内容】
【０００７】
前記第１周辺領域は、前記第１及び第２クロック信号を伝達する第１信号配線部を含み、前記第２周辺領域は、前記第１信号配線部と電気的に連結された第２信号配線部を含むことが好ましい。
前記第１表示パネルと第２表示パネルとを電気的に連結する可撓性回路基板を更に含み、前記可撓性回路基板には、前記第１及び第２信号配線部を連結する連結配線部が形成されることが好ましい。
前記第１クロック信号及び第２クロック信号を出力する駆動部を更に含むことが好ましい。
前記駆動部は、前記第１ゲート駆動部に第１垂直開始信号を出力し、所定時間の後、前記第２ゲート駆動部に第２垂直開始信号を出力することが好ましい。
前記第１及び第２ゲート駆動部のそれぞれは、相互に縦続的に連結された複数のステージで構成され、前記第１及び第２垂直開始信号は、前記第１及び第２ゲート駆動部のそれぞれの一番目のステージに入力されることが好ましい。
前記駆動部は、前記第１ゲート駆動部に第１垂直開始信号を出力し、第１所定時間の後、前記第１及び第２ゲート駆動部に第２垂直開始信号を出力し、第２所定時間の後、前記第２ゲート駆動部に第３垂直開始信号を出力することが好ましい。
前記第１及び第２ゲート駆動部のそれぞれは、相互に縦続的に連結された複数のステージで構成され、前記第１垂直開始信号は、前記第１ゲート駆動部の一番目のステージに入力され、前記第２垂直開始信号は、前記第１ゲート駆動部の最後のステージ及び前記第２ゲート駆動部の一番目のステージに入力され、前記第３垂直開始信号は、前記第２ゲート駆動部の最後のステージに入力されることが好ましい。
前記駆動部は、前記第２垂直開始信号のパルス幅に対応して前記第１及び第２クロック信号を遅延して出力することが好ましい。
前記第２垂直開始信号のパルス幅は、ミドルポーチ区間に対応することが好ましい。
前記駆動部は、バックポーチ区間に前記第１垂直開始信号を出力し、フロントポーチ区間に前記第３垂直開始信号を出力することが好ましい。
【手続補正６】
【補正対象書類名】明細書
【補正対象項目名】０００８
【補正方法】変更
【補正の内容】
【０００８】
このような表示装置によれば、第１及び第２ゲート駆動部が第１クロック信号及び第２クロック信号を共有することで信号数及び信号配線数を減少させることができる。
即ち、第１表示パネルと第２表示パネルを具備する表示装置において、第２表示パネルのゲート駆動部に提供されるクロック信号を第１表示パネルのゲート駆動  部に提供されるクロック信号と共有することで信号数及び信号配線数を減少させることができる。
これによって、第１表示パネルの周辺領域を狭く形成可能にして表示装置のナローベゼルを容易に具現することができる。
【手続補正７】
【補正対象書類名】明細書
【補正対象項目名】０００９
【補正方法】変更
【補正の内容】
【０００９】
以下、本発明の表示装置を実施するための最良の形態の具体例を、添付する図面を参照しながらより詳細に説明する。
図１は、本発明の第１実施例による表示装置の平面図である。
図１を参照すると、表示装置は、メイン画像を表示する第１表示パネル１００と、外部機器と第１表示パネル１００とを電気的に連結する第１可撓性回路基板１５０と、サブ画像を表示する第２表示パネル２００と、第１表示パネル１００と第２表示パネル２００とを電気的に連結する第２可撓性回路基板２５０を含む。